(57)【特許請求の範囲】
【請求項１】
前面に開口部を有し内部に加熱室、加熱手段が設けられた本体ケースと、該本体ケースの前記開口部を開閉する扉とを備え、
前記扉を、口字状の周壁を構成する上壁の下面に固定壁が設けられ、前記周壁の下壁にガラス保持枠の下部が挿入される挿入部が設けられた意匠枠と、上枠の下面に前記意匠枠の固定壁に当接する当接リブを有し、下枠に前面ガラスの下部が嵌入される嵌入溝が設けられて前記意匠枠の前面側に装着されるコ字状のガラス保持枠と、前面側に取っ手取付部を有し前記ガラス保持枠の前面側に装着される取っ手支持部材及び前記取っ手取付部に取付けられる取っ手とを有し、
前記前面ガラスの上部を前記意匠枠と取っ手支持部材とによって挾持し、前記意匠枠の背面側から取っ手支持部材に挿通したねじにより前記取っ手を取付けると共に、前記意匠枠、ガラス保持枠、前面ガラス及び取っ手支持部材を一体に固定して構成したことを特徴とする加熱調理器。
【請求項２】
前面に開口部を有し内部に加熱室、加熱手段が設けられた本体ケースと、該本体ケースの前記開口部を開閉する扉とを備え、
前記扉を、口字状の周壁を構成する上壁の下面に固定壁が設けられ、前記周壁の下壁にガラス保持枠の下部が挿入される挿入部が設けられた意匠枠と、上枠の下面に前記意匠枠の固定壁に当接する当接リブを有し、下枠に前面ガラスの下部が嵌入される嵌入溝が設けられて前記意匠枠の前面側に装着されるコ字状のガラス保持枠と、背面側に係止片を有し前記ガラス保持枠の前面側に装着される取っ手支持部材とを有し、
前記前面ガラスの上部を前記意匠枠と取っ手支持部材とにより挾持して前記取っ手支持部材に設けた係止片を前記意匠枠の固定壁に設けた係止穴に係止し、前記意匠枠、ガラス保持枠、前面ガラス及び取っ手支持部材を一体に固定して構成したことを特徴とする加熱調理器。
【請求項３】
前記ガラス保持枠の下枠の自由端にストッパを設け、前記前面ガラスのコーナ部に前記ストッパの形状に対応した形状のカット部を設けたことを特徴とする請求項１又は２記載の加熱調理器。
【請求項４】
前記意匠枠の背面側に背面ガラスを有する背面体を装着し、該背面体の前面側に突出した周壁を前記取っ手取付部材の背面側に設けた固定スタッドにねじで固定したことを特徴とする請求項１〜３のいずれかに記載の加熱調理器。
【請求項５】
前記意匠枠の固定壁の背面側に遮熱板を介装したことを特徴とする請求項１〜４のいずれかに記載の加熱調理器。
【請求項６】
前記取っ手支持部材に取付ける取っ手を木材によって構成したことを特徴とする請求項１〜５のいずれかに記載の加熱調理器。
【発明の詳細な説明】
【技術分野】
【０００１】
本発明は、加熱調理器に係り、より詳しくは、加熱調理器の前面側に設けた開口部を開閉する扉に関するものである。
【背景技術】
【０００２】
従来のマイクロ波加熱装置の加熱室の前面開口部を開閉する扉に、ドア飾りサッシュの長方形の開口部の内周縁に設けた段部に、接着剤によりドアスクリーン（ガラス等）を接着剤により接着して取付けたものがある（例えば、特許文献１参照）。
【０００３】
【特許文献１】特開２００２−１２２３３０号公報（第３頁、図３）
【発明の開示】
【発明が解決しようとする課題】
【０００４】
特許文献１のマイクロ波加熱装置の扉は、ドアスクリーンをシリコンなどの接着剤によりドア飾りサッシュに取付けているが、接着剤のコスト、接着剤を塗布する手間などにより製造コストが上昇するばかりでなく、接着剤の硬化に時間がかかるため作業性が悪く、その上接着剤がはみ出したりするため、デザイン上も好ましくなかった。
また、使用中にドアスクリーンがドア飾りサッシュから剥離して動いたり移動したりするおそれがあった。
【０００５】
本発明は、上記の課題を解決するためになされたもので、意匠枠に前面ガラスを装着するにあたり、接着剤等を用いることなく機械的に強固に結合することにより、前面ガラスが動いたり外れたりすることがなく、その上デザイン的に見映えのよい扉を備えた加熱調理器を提供することを目的としたものである。
【課題を解決するための手段】
【０００６】
本発明に係る加熱調理器は、前面に開口部を有し内部に加熱室、加熱手段が設けられた本体ケースと、該本体ケースの前記開口部を開閉する扉とを備え、前記扉を、口字状の周壁を構成する上壁の下面に固定壁が設けられ、前記周壁の下壁にガラス保持枠の下部が挿入される挿入部が設けられた意匠枠と、上枠の下面に前記意匠枠の固定壁に当接する当接リブを有し、下枠に前面ガラスの下部が嵌入される嵌入溝が設けられて前記意匠枠の前面側に装着されるコ字状のガラス保持枠と、前面側に取っ手取付部を有し前記ガラス保持枠の前面側に装着される取っ手支持部材及び前記取っ手取付部に取付けられる取っ手とを有し、前記前面ガラスの上部を前記意匠枠と取っ手支持部材とによって挾持し、前記意匠枠の背面側から取っ手支持部材に挿通したねじにより前記取っ手を取付けると共に、前記意匠枠、ガラス保持枠、前面ガラス及び取っ手支持部材を一体に固定して構成したものである。
【発明の効果】
【０００７】
本発明に係る加熱調理器は、筐体の前面開口部を開閉する扉の前面ガラスを、接着剤等を用いることなく、意匠枠と取っ手支持部材とによって挾持し、これらを機械的手段により一体に結合するようにしたので、前面ガラスが動いたり外れたりすることがなく、その上デザイン的に見映えのよい扉を得ることができる。
【発明を実施するための最良の形態】
【０００８】
［実施の形態１］
図１は本発明の実施の形態１に係る加熱調理器の模式的縦断面図、図２は図１の正面図である。なお、以下の説明では、図１の左側を前面、右側を背面という。
前面側に開口部２が設けられた箱状の本体ケース１内には、前面側に開口部４を有する加熱室３が設置されている。
【０００９】
加熱室３の背面側には加熱手段であるマイクロ波を発生するマグネトロン５が設置されており、加熱室３の下部にはマグネトロン５で発生したマイクロ波を加熱室３に導く導波管６が設けられている。７は加熱室３の上部に設けられたヒータである。
本体ケース１の前面側には、下部両側に設けたヒンジ（図示せず）により、開口部２を開閉する扉１０が設けられており、また、扉１０と並んで操作部８が設置されている。
【００１０】
次に、本体ケース１の開口部２を開閉する扉１０について、図３の正面図、図４の分解斜視図により説明する。
扉１０は、周壁を構成するほぼ口字状の意匠枠１１と、この意匠枠１１の前面側に装着されて前面ガラス３１を保持するガラス保持枠２１と、ガラス保持枠２１の前面側上部に装着される取っ手支持部材４１及びこの取っ手支持部材４１に取付けられる木製の取っ手６１と、意匠枠１１の背面側上部に取付けられる遮熱板６５と、後面ガラスが設けられ意匠枠１１の背面側に装着される背面体７１等とからなっている。
【００１１】
意匠枠１１は、例えば耐熱性合成樹脂からなり、前面側に大きな開口部１２を有し、上壁の前面側には段部１３を介して平板状の固定壁１４が垂下しており、一方の側（図の右側）の側壁の前面側はこの固定壁１４と同一平面に形成されている。そして、この固定壁１４には円形の複数の貫通穴１５ａ〜１５ｅが設けられており、貫通穴１５ａと１５ｂ、１５ｄと１５ｅ間には四角形状の貫通穴１６ａ，１６ｂが設けられている。また、下壁の上面には、係止爪を有し下壁の内壁面との間に所定のすき間ｇ（このすき間ｇはガラス保持枠２１の下部に設けたリブ２６の厚みに対応する）を隔てて、背面体７１の係止部１７ａ，１７ｂが設けられ、また、他方の側壁（図の左側）の内壁には前壁と内壁面との間にすき間ｇ1を隔ててガラス保持枠２１を支持する支持腕１８が設けられており、これらすき間ｇ，ｇ1によりガラス保持枠２１の挿入部１９が形成されている。なお、図示してないが、上壁の下面にも背面体７１の係止部が設けられている。
【００１２】
ガラス保持枠２１は、例えば耐熱性合成樹脂からなり意匠枠１１の前面側に装着しうる大きさで、一方の側（図の右側）が開口されたほぼコ字状に形成されている。そして、上枠の下面には、段部を介して背面側が意匠枠１１の固定壁１４に当接し、前面側に取っ手支持部材４１が当接する当接リブ２２が設けられており、この当接リブ２２には意匠枠１１の固定壁１４に設けた貫通穴１５ａ，１５ｃ，１５ｅに対応してほぼ逆Ｕ字状の切除部２３ａ〜２３ｃが設けられ、また、貫通穴１５ｂ，１５ｄと貫通穴１６ａ，１６ｂに対応して横方向に長い切除部２４ａ，２４ｂが設けられている。
【００１３】
また、下枠及び側枠には、内壁面からすき間ｇ2（このすき間ｇ2は、前面ガラス３１の板厚に対応する）を隔てて保持リブ２５ａ〜２５ｃが設けられており、図５に示すように、内壁面と保持リブ２５ａ〜２５ｃとの間には前面ガラス３１の縁部が挿入される嵌入溝２７が形成されている。そして、下枠の下面には、意匠枠１１の下壁の内壁面と係止部１７ａ，１７ｂとの間に形成された挿入部１９に挿入されるリブ２６が設けられている。なお、下枠の自由端の嵌入溝２７の端部には、前面ガラス３１の脱出を防止するための嵌入溝２７側に傾斜したストッパ２８が設けられている。
前面ガラス３１はコーナ部がカット（以下カット部３２という）されており、このカット部３２の形状は円弧状、段状等、適宜選択することができる。
【００１４】
取っ手支持部材４１は、例えば耐熱性合成樹脂からなり、ガラス保持枠２１の横方向の長さとほぼ等しく、意匠枠１１の固定壁１４の上下方向の幅とほぼ等しいか、これより若干狭い幅で、一端（ガラス支持枠２１の開口部側）に内側に折曲げられて、前面ガラス３１の脱出を防止するストッパ４３が設けられた本体部４２を有し、その前面側には意匠枠１１の固定壁１４に設けた貫通穴１５ｂ，１５ｄ間の距離より若干長い範囲に突出部４４が設けられており、突出部４４の前面側の貫通穴１５ｂ，１５ｄと対応した位置には、貫通穴を有する取っ手取付部４５ａ，４５ｂが突設され、両取っ手取付部４５ａ，４５ｂの間には空間部（空気層）４６が形成されている。
【００１５】
また、本体部４２の背面側には、図６に示すように、取っ手取付部４５ａ，４５ｂの外周に凹陥部４７ａ，４７ｂが形成され、凹陥部４７ａ，４７ｂには、取っ手取付部４５ａ，４５ｂの貫通穴と連通する貫通穴を有し、本体部４１の背面から若干突出したガイド部４８ａ，４８ｂが突設されている。４９ａ，４９ｂ，４９ｃは本体部４２の背面側に、意匠枠１１の固定壁１４の貫通穴１５ａ，１５ｃ，１５ｅに挿入しうるように突設された背面部材６１の固定スタッド、５０ａ，５０ｂは先端部に係止爪を有し、固定壁１４の貫通穴１６ａ，１６ｂに挿通され、後述の遮熱板６５の係止穴６７ａ，６７ｂに係止する係止片である。
【００１６】
６１は木材からなり、取っ手支持部材４１の本体部４２とほぼ同じ長さの取っ手で、背面側には図６に示すように、取っ手支持部材４１の取っ手取付部４５ａ，４５ｂに対応して、ナット６２ａ，６２ｂが埋め込まれている。６３は長手方向の中央部近傍に設けた手掛け部である。なお、この取っ手６１は図示の形状に限定するものではなく、木製であれば、断面円形、楕円形等、他の形状であってもよい。
【００１７】
意匠枠１１の固定壁１４の背面側に装着される遮熱板６５は、例えば、金属板や耐熱性合成樹脂板により取っ手支持部材４１の本体部４２とほぼ同じ長さに形成されており、意匠枠１１の固定壁１４に設けた貫通穴１５ｂ，１５ｄに対応して貫通穴６６ａ，６６ｂが設けられ、また貫通穴１５ｃに対応して上部が開口した切除部６６ｃが設けられている。６７ａ，６７ｂは上記の固定壁１４の貫通穴１６ａ，１６ｂに対応して設けられて取っ手支持部材４１の係止片５０ａ，５０ｂが係止する係止穴である。なお、この遮熱板６５は省略してもよい。
【００１８】
背面体７１は、例えば、金属板を曲げ加工して意匠枠１１の背面側に挿入しうる大きさに形成されており、周壁７２は図１０に示すように、前面側にほぼ水平に折曲げたのち上方に垂直に折曲げられ、ついで背面側にほぼ水平に折曲げられたのちさらに下方に折曲げられて前面側に突出する断面ほぼ四角形状に形成されており、前面側には凹陥部７３を介して僅かに前面側に突出した四角形状の窓部７４が設けられている。この窓部７４の前面側は多数の小孔７５が設けられた網状又はパンチングメタル状の材料によって覆われ、また、窓部７４の背面側には、背面ガラス７６（図１０参照）が取付けられている。なお、上枠の上面と下枠の下面には、意匠枠１１に設けた係止部１７ａ，１７ｂに係止する係止穴７７ａ，７７ｂ（下枠には図示してない）が設けられており、上枠の前面側には取っ手支持部材４１の固定スタッド４９ａ〜４９ｃに対応して貫通穴７８ａ〜７８ｃが設けられている。
【００１９】
次に、上記のような各部からなる扉１０の組立手順の一例について説明する。
先ず、図７に示すように、意匠枠１１の前面側にガラス保持枠２１を位置させ、その下枠の下面に設けたリブ２６を意匠枠１１の下壁の内壁面と係止部１７ａ、１７ａとの間に形成された挿入部１９に挿入すると共に、側枠を支持腕１８上に載置して挿入部１９に挿入し、当接リブ２２を固定壁１４上に載置する。このとき、ガラス保持枠２１の切欠き部２３ａ，２３ｂ，２３ｃは意匠枠１１の固定壁１４に設けた貫通穴１５ａ，１５ｃ，１５ｅと整合する。
【００２０】
次に、図８に示すように、前面ガラス３１を意匠枠１１の前面側に位置させ、その下縁及び側縁をガラス保持枠２１の下枠、側枠とリブ２５ａ〜２５ｃとの間に形成された嵌入溝２７に挿入し、上縁部を意匠枠１１の固定壁１４上に載置する。このとき、ガラス保持枠２１の当接リブ２２の下縁と前面ガラス３１の上縁部との間にはすき間が形成され、このすき間に、意匠枠１１の固定壁１４に設けた貫通穴１５ｂ，１５ｄや貫通穴１６ａ，１６ｂが位置する。
【００２１】
次に、意匠枠１１の背面側から固定壁１４に遮熱板６５を当接する。
ついで、図９に示すように、取っ手支持部材４１を、取っ手取付部４５ａ，４５ｂを前面側に位置させて、ガラス保持枠２１の当接リブ２２と前面ガラス３１の上縁部上に載置し、その固定スタッド４９ａ〜４９ｃを意匠枠１１の貫通穴１５ａ，１５ｃ，１５ｅに挿入すると共に、その係止片５０ａ，５０ｂを意匠枠１１の貫通穴１６ａ，１６ｂに挿通して遮熱板６５の係止穴６７ａ，６７ｂに係止させ、仮止めする。このとき、遮熱板６５の貫通穴６６ａ，６６ｂ、意匠枠１１の貫通穴１５ｂ，１５ｄ、及び取っ手支持部材４１のガイド部４８ａ，４８ｂと取っ手取付部４５ａ，４５ｂの穴は、同一線上に位置する。
【００２２】
ついで、図１０に示すように、意匠体１１の前面側から取っ手支持部材４１の取っ手取付部４５ａ，４５ｂに取っ手６１を当接し、そのナット６２ａ，６２ｂを取っ手取付部４５ａ，４５ｂの穴と整合させ、遮熱板６５の貫通穴６６ａ，６６ｂから挿通したねじ８１をナット６２ａ，６２ｂに螺入し、固定する。
【００２３】
次に、意匠枠１１の背面側に背面体７１を嵌入し、その上枠及び下枠に設けた係止穴７７ａ，７７ｂを意匠枠１１に設けた係止部１７ａ，１７ｂに係止させる。また、上枠に設けた貫通穴７８ａ〜７８ｃに背面側からねじ８２（図１０参照）を挿入して取っ手支持部材４１の固定スタッド４９ａ〜４９ｃに螺入し、固定する。これにより扉１０の組立が終了する。このときの状態を図３に示す。
このようにして組立てられた扉１０は、図１，図２に示すように、下部両側に設けたヒンジ（図示せず）により、本体ケース１の開口部２に開閉自在に取付けられる。
【００２４】
ところで、ガラス保持枠２１の嵌入溝２７の自由端の端部には、前面ガラス３１の脱出を防止するためのストッパ２８が設けられているので、前面ガラスのコーナ部にカット部３２が設けられていないと、下縁部が嵌入溝２７に挿入された前面ガラス３１は、図１１（ｄ）に破線で示すように、自由端側に下端部がストッパ２８に乗上げしてしまい、下縁部が嵌入溝２７に挿入できないばかりでなく、自由端側の側縁部が意匠枠１１の側壁の側面と同一平面に位置することができない。また、実線で示すように、前面ガラス３１の左右の幅を短くして下縁部がストッパ２８に乗上げないようにすれば、自由端の側縁部が意匠枠１１の側壁より内側に位置し、やはり側壁の側面と同一平面にならない。
【００２５】
本実施の形態においては、図１１（ａ）に示すように、前面ガラス３１のコーナ部に、ストッパ２８の傾斜面に対応してカット部３２を設け、ストッパ２８を逃げるようにしたので、前面ガラス３１の下縁部が全長にわたって嵌入溝２７に挿入できると共に、その側縁部を意匠枠１１の側壁の側面と同一平面上に位置させることができる。なお、ガラス保持枠２１の嵌入溝２７の自由端に設けたストッパ２８の嵌入溝２７側の形状は、図１１（ａ）に示すようなほぼ４５°の直線上に限るものではなく、図１１（ｂ），（ｃ）に示すように、円弧状や階段状等であってもよく、前面ガラス３１のコーナ部に、このストッパ２８の形状に合わせてカット部３２を設ければよい。
なお、取っ手支持部材４１の本体部４２の端部に設けたストッパ４３についても同様である。
【００２６】
上記のように構成した扉１０は、ガラス保持枠２１の下部が意匠枠１１の下壁の内壁面と係止部１７ａ，１７ｂとの間に設けた挿入部１９に挿入されると共に、側縁部が側壁の内壁面と載置部１８との間に挿入され、前面ガラス３１の下縁部と側縁部がガラス保持枠２１の嵌入溝２７に挿入されて、その上部に取っ手支持部材４１を当接して、前面ガラス３１の上部を意匠枠１１と取っ手支持部材４１とによって挾持し、意匠枠１１の背面側から取っ手支持部材４１に挿通したねじ８１により取っ手６１を固定すると共に、意匠枠１１と取っ手支持部材４１を一体に固定したので、前面ガラス４１はガラス支持枠２１を介して意匠枠１１に強固に固定される。これにより、前面ガラス３１が動いたり扉１０から外れたりすることがなく、長期にわたって所定の位置に確実に保持される。
【００２７】
また、ガラス支持枠２１の下枠の自由端及び取っ手支持部材４１の本体部４２の一端にストッパ２８，４３を設け、前面ガラス３１のコーナ部にこのストッパ２８，４３の形状に対応してカット部３２を設けたので、前面ガラス３１の下縁部と側縁部を嵌入溝２７に確実に挿入することができ、その自由端側を意匠枠１１の側壁の外壁面と同一平面上に保持することができる。また、これにより前面ガラス３１が脱落することもない。
【００２８】
また、背面体７１の外周を前面側にほぼ四角形状に折り曲げて周壁７２を形成し、この周壁７２の前面側を取っ手支持部材４１の背面に設けた固定スタッド４９にねじ止めして固定し、遮熱板６５との間に空間部Ｓを形成したので、従来のように取っ手６１を固定するねじ８１が背面体７１に直接接触することがなく、また、意匠枠１１とねじ８１との間には遮熱板６５が介装されているため、調理によって高温となった加熱室３内の熱の取っ手６１への伝達が大幅に低減され、その上取っ手６１を木材で構成すれば、取っ手６１が熱くなることがない。さらに、木製の取っ手６１に直接熱が当たりにくいので、反りやひび割れの促進を防止することができる。また、遮熱板６５は座金の役目も果すので、ねじ８１の緩みを防止することができる。さらに、取っ手６１を木材で構成したので、加熱調理器を廃棄処分するときの取っ手の処理が簡単で、環境にやさしい加熱調理器を得ることができる。
【００２９】
［実施の形態２］
図１２は本実施の形態２に係る加熱調理器の扉の要部の断面図である。なお、実施の形態１と同じ部分にはこれと同じ符号を付し、説明を省略する。
本実施の形態は、取っ手支持部材４１のガイド体４８ａ，４８ｂ内にねじ８１を挿入して取っ手取付部４５ａ，４５ｂに取っ手６１を固定すると共に、凹陥部４７ａ，４７ｂの近傍において本体部４２の背面に、係止爪を有する各上下一対の係止片５１ａ，５１ｂをそれぞれ設け、これに対応して遮熱板６５に設けた係止穴（図示せず）にそれぞれ係止片５１ａ，５１ｂを係止させて、取っ手支持部材４１を意匠枠１１に取付けると共に、前面ガラス３１を意匠枠１１に固定するようにしたものである。
本実施の形態の効果は、実施の形態１の場合とほぼ同様である。
【００３０】
上記の説明では、図示の高周波加熱調理器に本発明を実施した場合を示したが、これに限定するものではなく、例えば、扉１０の上方の操作部を設けた高周波加熱調理器、加熱手段にヒータを用いた加熱調理器の扉や、加熱調理器のロースタの扉などにも本発明を実施することができる。
また、扉１０に設けた取っ手６１を木材で構成した場合を示したが、金属材料からなる取っ手を用いてもよい。
【図面の簡単な説明】
【００３１】
【図１】本発明の実施の形態１に係る加熱調理器の模式的縦断面図である。
【図２】図１の正面図である。
【図３】図２の扉の正面図である。
【図４】図３の扉の分解斜視図である。
【図５】図４のガラス保持部材の要部の斜視図である。
【図６】図４の取っ手支持部材及び取っ手の背面図である。
【図７】扉の組立手順の説明図である。
【図８】扉の組立手順の説明図である。
【図９】扉の組立手順の説明図である。
【図１０】ガラス支持枠に設けたストッパと前面ガラスとの関係を示す説明図である。
【図１１】図１の扉の要部の拡大図である。
【図１２】本発明の実施の形態２に係る加熱調理器の扉の要部の断面図である。
【符号の説明】
【００３２】
１  本体ケース、２  開口部、３  加熱室、１０  扉、１１  意匠枠、１４  固定壁、２１  ガラス保持枠、２２  当接リブ、２７  嵌入溝、２８  ストッパ、３１  前面ガラス、３２  カット、４１  取っ手支持部材、４３  ストッパ、４５ａ，４５ｂ  取っ手取付部、５１ａ，５１ｂ  係止片、６１  取っ手、６５  遮熱板、７１  背面体。
【図１】
0004545102.tif 000002
【図２】
0004545102.tif 000003
【図３】
0004545102.tif 000004
【図４】
0004545102.tif 000005
【図５】
0004545102.tif 000006
【図６】
0004545102.tif 000007
【図７】
0004545102.tif 000008
【図８】
0004545102.tif 000009
【図９】
0004545102.tif 000010
【図１０】
0004545102.tif 000011
【図１１】
0004545102.tif 000012
【図１２】
0004545102.tif 000013